(57)【要約】      （修正有）【課題】取り扱いが簡便であり、使い心地やファッション性に優れ、紫外線等から首元を確実に保護する廉価なネックガードを提供する。【解決手段】紫外線遮蔽特性繊維で織ったレース布素材が用いられ、このレース布素材５に袋縫いを施すとともに幅方向の略中央部で長さ方向の略全長に亘る縫縮部位６を形成して両側部位にギャザーを形成してなるネックガード本体２と、このネックガード本体２の縫縮部位６の両端近傍の表裏面に相対して取り付けられて重ね合わせた両端部を結合するスナップ３を構成する一対のスナップ半体とから構成される。【選択図】図１
0003140287.tif 000002
【実用新案登録請求の範囲】
【請求項１】
紫外線遮蔽特性繊維で織った横長矩形のレース布素材が用いられ、このレース布素材を幅方向に２つ折りして袋縫いを施すとともに幅方向の略中央部において長さ方向の略全長に亘り縫縮めを施した縫縮部位に沿った両側部位にギャザーを形成してなるネックガード本体と、
上記ネックガード本体の上記縫縮部位の両端近傍の表裏面に相対して取り付けられ、重ね合わせた両端部を結合するスナップを構成する一対のスナップ半体と
から構成したことを特徴とするネックガード。
【請求項２】
上記ネックガード本体には、裏面側に取り付けた一方の上記スナップ半体に対向して上記縫縮部位の一方端部の表面に飾り体が設けられることを特徴とする請求項１に記載のネックガード。
【請求項３】
上記ネックガード本体は、レース布素材に袋縫いを施した中間体を裏返すことにより縫い代部分を内部に納めた袋体であることを特徴とする請求項１又は請求項２に記載のネックガード。
【請求項４】
上記ネックガード本体は、上記縫縮部位で区分される上部ギャザー形成領域に対して下部ギャザー形成領域が幅広とされるとともに、この下部ギャザー形成領域に上記縫い代部分が納められることを特徴とする請求項３に記載のネックガード。
【考案の詳細な説明】
【技術分野】
【０００１】
本考案は、着衣から露出する首元を保護するネックガードに関する。
【背景技術】
【０００２】
女性等にとっては、外出等に際して日焼け止め対策（紫外線対策）は極めて重要な課題であり、日焼け止めのための様々な日焼け止めグッズが提供されている。日焼け止めグッズとしては、日焼け止めクリームなどとともに紫外線遮蔽特性繊維で織った日傘や帽子或いはシャツ等が有効であるが、着衣から露出する首元部分を保護することが極めて厄介である。首元部分の保護、すなわちネックガードについては、例えば特許文献１や特許文献２が提案されている。
【０００３】
特許文献１に開示されたネック用交線遮断ウエアは、紫外線遮蔽繊維を素材として、ハイネックのネックガード部とその下端にケープ状に連なるスカート部とから構成される。ネック用交線遮断ウエアは、前開き型であることから着脱が容易であり化粧落ちや髪型の乱れを生じさせることも無く、紫外線高遮蔽率性の布地により紫外線を遮断して首元をしっかりと保護する。ネック用交線遮断ウエアは、スカート部により外見上アンダーウエアを着込んだ形態を生成することで、軽装感を維持し、おしゃれ感覚を高めるといった作用を奏する。
【０００４】
ネック用交線遮断ウエアは、ハイネックのネックガード部が剛性を有しており紫外線の遮断特性を高めるためには全域に亘って首元に密着されなければならない。ネック用交線遮断ウエアにおいては、このために真夏や長時間に亘り装着するような場合には、首元に汗が噴き出したりムレたりすることから到底使用することができない。また、ネック用交線遮断ウエアは、剛性を有するネックガード部により折り畳んで手軽に持ち運びすることが困難である。ネック用交線遮断ウエアは、その形態から比較的高価であり、上述した種々の問題も有ることで実用化が困難と思われる。
【０００５】
特許文献２に開示されたネックウエアも、紫外線高遮蔽率性の布地を用いて、首の周囲を覆う首被覆部と首の付け根回りを覆う見頃部を前開き型とした基本形態において上述した特許文献１のネック用交線遮断ウエアと同等である。したがって、ネックウエアは、着脱の容易性や紫外線遮蔽特性を有しているものの、真夏時や長時間の使用の困難性、使い勝手、再装着時の皺よりによる体裁低下等の問題がある。ネックウエアは、特許文献１のネック用交線遮断ウエアと比較してから、首被覆部や見頃部がさらに強固な部位であるとともに裏打ち部まで設けられたワイシャツ或いはブラウスの形態であることから、長時間使用や使い勝手等の問題は一層顕著であり、また高価となって実用化の困難性はさらに大きいと思われる。
【０００６】
【特許文献１】特開平８−１８８９０６号公報
【特許文献２】登録実用新案第３１２７１１９号公報
【考案の開示】
【考案が解決しようとする課題】
【０００７】
ネックガードにおいては、着脱の容易性や紫外線遮蔽特性或いはファション性等の要求仕様については、上述した特許文献に開示されている。ネックガードにおいては、真夏や長時間に亘って着用していても使用者に対して苦痛や不快感を感じさせることなく首元を確実に保護することが必要である。ネックガードにおいては、室内等においては取り外されてバック等にしまわれる。ネックガードにおいては、コンパクトに収納することが可能であるとともに、再使用に際しては皺よりによりファション性が損なわれることがあってはならない。
【０００８】
したがって、本考案は、上述したネックガードの要求仕様を満たし、取り扱いが簡便であり、使い心地やファッション性に優れ、紫外線等から首元を確実に保護する廉価なネックガードを提供することを目的に提案されたものである。
【課題を解決するための手段】
【０００９】
上述した目的を達成する本考案にかかるネックガードは、紫外線遮蔽特性繊維で織った横長矩形のレース布素材が用いられ、このレース布素材を幅方向に２つ折りして袋縫いを施すとともに幅方向の略中央部において長さ方向の略全長に亘り縫縮めを施した縫縮部位に沿った両側部位にギャザーを形成してなるネックガード本体と、このネックガード本体の縫縮部位の両端近傍の表裏面に相対して取り付けられて重ね合わせた両端部を結合するスナップを構成する一対のスナップ半体とから構成される。
【００１０】
ネックガードは、展開状態で首元に巻き付けて縫縮部位の両端部を重ね合わせて相対するスナップ半体を結合する簡易な操作により着用され、その素材特性により紫外線から首元を確実に保護する。ネックガードは、レース布素材の特性と袋縫いの構造と縫縮部位に沿った両側部位のギャザーとの構成により、軽量でかつ良好な通気性を有し、より効果的な紫外線遮蔽特性を奏し、真夏の着用も苦にならず良好な使い心地を以って着用される。ネックガードは、大きな力が加えられると外れるスナップを用いて両端部を結合する構造であり、万一何かに引っ掛かって首元に大きな引張り力が作用された場合でもスナップが外れて安全性が確保される。ネックガードは、各色のレース布素材と全体に設けられたギャザーとの構成により、衣服との調和を図りやすくファッション性に優れるとともに不要な際には簡単に取り外してコンパクトな状態でバック等に入れられ、再着用時の皺によるファッション性の低下といった問題も無い。
【００１１】
また、ネックガードは、ネックガード本体に、裏面側に取り付けた一方のスナップ半体に対向して縫縮部位の一方端部の表面に飾り体が設けられる。ネックガードは、飾り体として例えば共布で製作したリボン等を取り付けることによりファッション性も向上し、またこの飾り体によりスナップ位置も容易に識別されるとともに取り外しも簡単に行うことが可能である。
【００１２】
さらに、ネックガードは、ネックガード本体が、レース布素材に袋縫いを施した中間体を裏返すことにより縫い代部分を内部に納めた袋体とされる。ネックガードは、レース布素材の端部や裁断端である縫い代部分をネックガード本体の内部に納めて多層構造としたことにより、レース布素材を用いても紫外線防止効果が確実に奏されるようにするとともに着用した状態での肌当たりが良好に保持されるようにしかつ裁断端からの繊維のほつれ等の発生が抑制されるようにする。
【００１３】
さらに、ネックガードは、ネックガード本体が、縫縮部位で区分される上部ギャザー形成領域に対して下部ギャザー形成領域をやや幅広とするとともに、この下部ギャザー形成領域に縫い代部分が納められるようにする。ネックガードは、縫い代部分により下部ギャザー形成領域が多層構造となって腰が強くなり、着用した状態でやや薄厚の上部ギャザー形成領域をしっかりと支えて首元を被覆した状態が保持されるようにするとともに、ゴワゴワ感を感じさせないようにする。
【考案の効果】
【００１４】
以上のように構成された本考案にかかるネックガードによれば、袋縫いと縫縮めの簡易な縫製により製造されることから廉価であり、レース布素材の特性と袋縫いの構造とギャザーとの構成により使い勝手や使い心地がよく、ファッション性に優れて紫外線等から首元を確実に保護することが可能である。
【考案を実施するための最良の形態】
【００１５】
以下、本考案の実施の形態として示すネックガード１について、図面を参照して詳細に説明する。ネックガード１は、紫外線遮蔽特性繊維で形成したネックガード本体２と、このネックガード本体２に取り付けた雄雌のスナップ半体３Ａ、３Ｂとからなる結合手段のスナップ３及び飾り体を構成するリボン４とを備え、図１に示すように首元に巻き付けて着用されることにより、首元を被覆して紫外線等から保護する。ネックガード１は、ネックガード本体２が白系、黒系、茶系、ピンク系或いはパステル系等の様々な色調の繊維で形成され衣服の色に合わせて適宜の色調のものが選択されて用いられる。ネックガード１は、紫外線等に対する首元の保護とともに、衣服との調和を図ってファッション性の向上が図られるようにする。
【００１６】
ネックガード１は、ネックガード本体２が、詳細を後述するように紫外線遮蔽特性繊維で織った横長矩形のレース布素材５に対して袋縫いや縫縮め等の簡易な作業を施して製作される。ネックガード１は、このネックガード本体２に形成される縫縮部位６に対してその両端部６Ａ、６Ｂの近傍においてスナップ半体３Ａ、３Ｂがその表裏面に相対して取り付けられる。
【００１７】
ネックガード１は、レース布素材５とネックガード本体２の縫縮部位６の長さにより、例えば大・中・小（Ｌ・Ｍ・Ｓ）サイズに区分されて提供される。ネックガード１は、Ｍサイズが、縫縮部位６を標準的な女性の首回り寸法よりもやや大きな長さを以って形成する。なお、ネックガード１は、サイズ区分として、長さ区分とともにレース布素材５の幅による幅区分のものも提供するようにしてもよい。
【００１８】
ネックガード１は、ネックガード本体２が、図２及び図３に示すように幅方向の略中央部において長さ方向の略全長に亘って縫縮部位６を形成することで、この縫縮部位６に沿った両側部位に上部ギャザー７Ａと下部ギャザー７Ｂ（以下、個別に説明する場合を除いてギャザー７と総称する。）を形成してなる。縫縮部位６は、ギャザー７を形成するとともにネックガード本体２を自立可能とし、さらに機械的強度を向上してネックガード１の着脱操作が容易に行われるようにする。
【００１９】
ネックガード本体２は、詳細を後述するように縫縮部位６により幅方向に区割りする上部ギャザー７Ａと下部ギャザー７Ｂの幅を異にして形成する。ネックガード本体２は、下部ギャザー７Ｂが、上部ギャザー７Ａに対してやや幅広に形成されるとともに、その内部に縫い代部分を納めた多層構造にして形成する。ネックガード本体２は、この構造により下部ギャザー７Ｂの腰を強くしてずれ落ちが抑制されるようにして首元をしっかりと保護するとともに、着用感も向上されるようにする。
【００２０】
ネックガード本体２は、レース布素材５と縫縮部位６の長さ差異により、数や幅を変えてギャザー７が形成される。ネックガード本体２は、詳細を後述するようにレース布素材５に袋縫いを施すことにより、ギャザー７の縁部が２重構造で構成されるようにする。ネックガード本体２は、袋縫い構造であることからギャザー７の縁部からの繊維のほつれが抑制されるとともに肌当たり感の向上が図られている。
【００２１】
なお、縫縮部位６は、ネックガード本体２において幅方向の両側部位に対して長さが短縮された中央部位であり、両側部位に上部ギャザー７Ａと下部ギャザー７Ｂが形成されればよい。縫縮部位６については、縫縮め縫製方法ばかりでなく、例えば後述するように中央部位に縫い込んだ糸を絞り込む方法や弾性糸を縫い込む方法等の適宜の方法により形成することが可能である。
【００２２】
ネックガード１は、図１に示すように、ネックガード本体２を首元に巻き付けて重ね合わせた縫縮部位６の長さ方向の両端部である第１端部６Ａと第２端部６Ｂをスナップ３により結合する。ネックガード１は、もっぱら女性向けとして用いられることから、右前合わせが自然である。したがって、ネックガード１は、ネックガード本体２に対して図１及び図２に示すように、着用状態で前側となる縫縮部位６の第１端部６Ａ側にスナップ半体３Ａをその裏面側に取り付けるとともに、後ろ側となる第２端部６Ｂ側でスナップ半体３Ｂを裏面側に取り付ける。
【００２３】
スナップ３としては、スナップ半体３Ａとスナップ半体３Ｂとが凸部と凹部をはめ合わせるように押し込むことにより一体に結合されるとともにやや強い力で引きはがすことによりスナップ半体３Ａとスナップ半体３Ｂの結合状態が解除される、周知のボタン型押し金具が好適に用いられる。なお、ネックガード１は、かかるボタン型の押し金具からなるスナップ３に限定されないことは勿論であり、同等の機能を有する適宜のスナップを用いることが可能である。ネックガード１には、「スナップ」の用語が必ずしも適当ではないが、例えば同等の機能を有する面ファスナを用いることも可能である。かかる面ファスナは、ネックガード本体２に用いるレース布素材５の布地に絡みやすいために取り扱いがやや面倒である。
【００２４】
ネックガード１には、ネックガード本体２に対して図１乃至図３に示すように、使用状態において前側となる縫縮部位６の第１端部６Ａにリボン４が取り付けられる。リボン４は、例えばレース布素材５の共布で製作れ、スナップ半体３Ａの取付部位を隠すようにして縫縮部位６の第１端部６Ａに取り付けられる。リボン４は、ネックガード本体２の表裏を識別させるとともに、ネックガード１に外観変化を与えかつスナップ３を隠すことでファッション性を向上させる。リボン４は、使用状態においてスナップ３による結合位置が容易に識別されるようにするとともに、例えばスナップ３を引きはがす際の把持部としても作用する。
【００２５】
なお、リボン４については、上述した仕様のものに限定されないことは勿論であり、例えばレース布素材５に適合する適宜のものを用いるようにしてもよい。リボン４は、もっぱらスナップ３の引きはがし用として機能させる場合にはやや幅広のタグ形状のものを取り付けて構成してもよいが、ネックガード１の特性からファッション性が保持されるものが選択される。
【００２６】
以上のように構成されたネックガード１は、外出等に際してネックガード本体２を首元に巻き付け、縫縮部位６のリボン４を取り付けた第１端部６Ａを前側にして第２端部６Ｂに重ね合わせる。ネックガード１は、スナップ半体３Ａをスナップ半体３Ｂに押し込んでスナップ３を結合する簡易な操作により首元に着用される。ネックガード１は、着衣から露出する首元を被覆し、袋縫いされたレース布素材５の特性とギャザー７により強い紫外線に対しても首元を確実に保護する。ネックガード１は、衣服との調和も図りやすく、ファッション性に優れ、違和感なく着用される。
【００２７】
ネックガード１は、レース布素材５の特性や形成されたギャザー７の構成により、素地自体とともに首元との間にも全体に亘って充分な間隙を構成して着用される。ネックガード１は、軽量であるとともに良好な通気性を有することから、長時間に亘って着用したり真夏に使用した場合であっても、使用者に辛さや圧迫感を感じさせることは無く、ムレ等も低減して良好な使い心地を以って着用されるようにする。
【００２８】
ネックガード１は、例えば縫縮部位６の第１端部６Ａをやや強く引っ張ってスナップ３の結合状態を解除することにより首元から簡単に取り外すことが可能である。ネックガード１は、この際に上述したようにリボン４を利用することにより、さらに簡単に取り外しが可能である。ネックガード１は、レース布素材５とギャザー７の構成により型くずれや皺よりの心配もなく、使用後に小さく折り畳んでコンパクトな状態でバック等に入れることが可能であり取り扱いが簡便である。
【００２９】
ネックガード１は、着用時に万一何かに引っ掛かって首元に大きな引張り力が作用される等の咄嗟の場合でも、上述した特性のスナップ３が外れることで安全性が確保される。ネックガード１は、ネックガード本体２に形成した縫縮部位６が、ある程度の自立性を保持して首元でのズレ落ちが抑制されるようにしたり、着脱時に素地のレース布素材５の伸びを抑制してスナップ３の取り外しが簡単に行われるようにする。
【００３０】
以上のように構成されるネックガード１は、図４に示すレース布素材５を用いて製作される。なお、以下の説明において、便宜上破線は縫止めの箇所を示し、鎖線は隠れ線を示すものとする。レース布素材５は、繊維素材に紫外線散乱剤や紫外線吸収剤を練り込んだり表面に付着させたりした紫外線遮蔽特性繊維（ＵＶカット繊維）によりレース織りした布地が用いられる。レース布素材５は、例えば標準仕様（Ｍサイズ）のネックガード１を製作する場合に、外周部に縁止め処理を施したレース布地の原反を長さが１００〜１０２ｃｍ、幅ｗ１が約４０ｃｍに裁断し、幅方向の一端部側に縁止め処理による耳部１０を残し他端部側が裁断端部１１とされる。
【００３１】
レース布素材５は、耳部１０に対して裁断端部１１側を約２ｃｍズラした位置にして２つ折りされるとともに、この耳部１０から約６ｃｍ位置において全長に亘って袋縫い１２が施されて図５に示す第１中間体１３を形成する。第１中間体１３は、耳部１０や袋縫い１２の部位を内側とするように同図矢印で示すように全体を裏返すことにより全体幅が約１５ｃｍの袋体（筒体）からなる第２中間体１４を形成する。
【００３２】
ネックガード本体２は、第１中間体１３を裏返して第２中間体１４を形成することにより、レース布素材５の耳部１０や裁断端部１１が内部に納められる。ネックガード本体２においては、レース布素材５を用いているが耳部１０や裁断端部１１を内部に入れ込んだ多層構造とすることにより、使用状態において紫外線防止効果が確実に奏される。また、
ネックガード本体２は、使用状態において、固い耳部１０や裁断端部１１が直接肌に当たらないようして使い心地の向上が図られるようにするとともに裁断端部１１からの繊維のほつれ等の発生が抑制されるようにする。
【００３３】
第２中間体１４は、図６に示すように袋縫い１２の部位において表側に生じる折返し部１５を介して幅方向に上側の上部ギャザー７Ａが形成される上部ギャザー形成領域１６Ａと、やや幅広の下部ギャザー７Ｂが形成される下部ギャザー形成領域１６Ｂとに区割りされる。第２中間体１４は、上部ギャザー形成領域１６Ａの幅ｗｕが約７ｃｍであり、下部ギャザー形成領域１６Ｂの幅ｗｌが約８ｃｍとされる。
【００３４】
第２中間体１４は、図６に示すように袋縫い１２を施した際の縫い代部位である耳部１０や裁断端部１１が下部ギャザー形成領域１６Ｂ側に納められるようにする。第２中間体１４は、同図（Ｂ）に示すように上部ギャザー形成領域１６Ａが布地を折り返した２層で構成されるとともに、下部ギャザー形成領域１６Ｂが折返し部１５の近傍において布地を折り返した２層とこれに重ね合わされた袋縫い１２の縫い代部位（裁断端部１１と耳部１０）の４層で構成される。
【００３５】
ネックガード本体２は、着用した状態で、やや幅広で多層構造とされた下部ギャザー形成領域１６Ｂがやや薄厚の上部ギャザー形成領域１６Ａをしっかりと支えることにより、ズレ落ちの発生が抑制されて首元を被覆した状態が確実に保持されるようにする。ネックガード本体２は、主として２層構造の上部ギャザー形成領域１６Ａが首元を被覆することにより、ゴワゴワ感を感じさせることない。
【００３６】
第２中間体１４は、レース布素材５の裁断端部である長さ方向の両端部が直接外部に露出されないようにするために、これら両端部を所定の長さでそれぞれ内側に折り込ん重ね合わせ部位１７Ｌ、１７Ｒとし、図７に示す第３中間体１８を形成する。
【００３７】
第３中間体１８には、縫縮処理や縁止処理が施されることにより図８に示す第４中間体１９が形成される。縫縮処理は、第３中間体１８の下部ギャザー形成領域１６Ｂに対して折返し部１５に沿って長さ方向の全長に亘って縫縮部位６を形成する。縫縮部位６は、第３中間体１８に対して、中央部位の長さを幅方向の両側縁（上下縁）の長さよりも縫い縮める処理を施して形成される。縫縮部位６は、例えば第３中間体１８の長さ方向の一端側から他端側に向かって縫った後に、縫い糸を所定長さまで引き絞る縫縮め処理により形成される。縫縮部位６は、例えば第３中間体１８の中央部位を襞を付けながら縫止めする襞縫いにより形成するようにしてもよい。縫縮部位６は、縫い糸としてゴム等の伸縮糸を用いるようにしてもよい。縫縮部位６は、第３中間体１８に対して、その内側の上述した位置に沿って例えば伸縮性を有する結合用テープを接合することにより形成することも可能であり、その他種々の方法により第３中間体１８に形成される。
【００３８】
縫縮部位６は、第３中間体１８の表側から縫縮処理を施して形成することから、目立たないようにするためにはレース布素材５と同系色の糸が使用される。縫縮部位６は、例えばレース布素材５の色調に積極的にコントラストを付すような場合にはやや太めで特徴的な色合いの縫い糸により模様縫い等を施して形成するようにしてもよい。縫縮部位６は、１回縫いに限定されずある程度の幅範囲で多数回縫いを施してもよく、例えば一回目の縫止めによりギャザー７を形成した状態で、２回目の縫止めによりギャザー７の根元部分を固定して安定した形状とするようにしてもよい。縫縮部位６は、２回目の縫止めに伸縮性を有する縫い糸を用いることが好ましい。
【００３９】
第４中間体１９には、重ね合わせ部位１７に対して、その内側でまつり縫いや千鳥縫い等の縁止縫い２０Ｌ、２０Ｒが施こされる。縁止縫い２０Ｌ、２０Ｒは、ネックガード本体２においてレース布素材５の裁断端をネックガード本体２の内部に納めるとともに繊維のほつれ等の発生が抑制されるようにする。
【００４０】
第４中間体１９は、上述した縫縮部位６を介して中央部位が長さ方向に絞られることにより、上部ギャザー形成領域１６Ａと下部ギャザー形成領域１６Ｂにそれぞれ適宜の数の上部ギャザー７Ａと下部ギャザー７Ｂが織られた図９に示すネックガード本体２を形成する。ネックガード本体２には、上述した位置にスナップ半体３Ａ、３Ｂやリボン４が取り付けられてネックガード１を完成させる。なお、ネックガード１は、スナップ半体３Ａ、３Ｂやリボン４の取付が最終工程で行う必要は無く、例えば展開した状態にある第４中間体１７の段階で行うようにしてもよい。
【００４１】
ネックガード１は、上述したようにレース布素材５に対して簡単な縫止め等を施す工程により製作されることから廉価に提供することが可能である。ネックガード１は、サイズ仕様に応じて所定の大きさのレース布素材５が用いられて製作されることは勿論である。ネックガード１は、上述した工程に限定されず適宜の方法により製作される。
【図面の簡単な説明】
【００４２】
【図１】本考案の実施の形態として示すネックガードの使用状態を示す図である。
【図２】ネックガードの使用状態図である。
【図３】ネックガードの展開状態の要部正面図である。
【図４】素材として用いるレース布素材の要部正面図である。
【図５】２つ折りしたレース布素材に袋縫いを施して形成した第１中間体の説明図であり、同図（Ａ）は要部正面図、同図（Ｂ）は断面図である。
【図６】第１中間体を裏返した袋体からなる第２中間体の説明図であり、同図（Ａ）は要部正面図、同図（Ｂ）は断面図である。
【図７】両端部を折り込んで重ね合わせ部位を形成した第３中間体１８の要部正面図である。
【図８】縫縮部位を形成した第４中間体の一部拡大要部正面図である。
【図９】ネックガード本体の展開図である。
【符号の説明】
【００４３】
１  ネックガード、２  ネックガード本体、３  スナップ、３Ａ、３Ｂ  スナップ半体、４  リボン、５  レース布素材、６  縫縮部位、７  ギャザー、７Ａ  上部ギャザー、７Ｂ  下部ギャザー、１０  耳部、１１  裁断端部、１２  袋縫い、１３  第１中間体、１４  第２中間体、１５  折返し部、１６  ギャザー形成領域、１６Ａ  上部ギャザー形成領域、１６Ｂ  下部ギャザー形成領域、１７  重ね合わせ部位、１８  第３中間体、１９  第４中間体、２０  縁止縫い
【図１】
0003140287.tif 000003
【図２】
0003140287.tif 000004
【図３】
0003140287.tif 000005
【図４】
0003140287.tif 000006
【図５】
0003140287.tif 000007
【図６】
0003140287.tif 000008
【図７】
0003140287.tif 000009
【図８】
0003140287.tif 000010
【図９】
0003140287.tif 000011